(57)【特許請求の範囲】
【請求項１】
自動作図機本体の前に取り付けられるとともにＸ方向に延びた罫線が引かれたスケールを備えた自動作図機であって、
Ｘ方向に対する前記スケールの傾きを調整可能にしたことを特徴とする自動作図機。
【請求項２】
前記スケールを、自動作図機本体に固定される固定スケールと、この固定スケールに重ねられるとともにＸ方向に罫線が引かれたグリッドスケールとによって構成し、
前記グリッドスケールをＸ方向に対する傾きが調整可能に前記固定スケールに取り付けたことを特徴とする請求項１に記載の自動作図機。
【請求項３】
前記グリッドスケールをＸＹ方向へ移動可能に前記固定スケールに取り付けたことを特徴とする請求項２に記載の自動作図機。
【発明の詳細な説明】
【０００１】
【発明の属する技術分野】
この発明は、自動作図機本体の前に取り付けられるスケールを備えた自動作図機に関する。
【０００２】
【従来の技術】
従来から、自動作図機本体の前にスケールを取り付けた自動作図機が知られている。このスケールには、作図用の紙面等を所望の作図開始位置に合わせるために罫線が引かれている。
【０００３】
【発明が解決しようとする課題】
ところで、このスケールは、自動作図機本体に取り付ける際に狂いがあったり、長期間にわたって使用したりによって、スケールに引かれた罫線の方向と自動作図機のペンアームが実際に移動するＸ方向とが一致しなくなる場合がある。この場合、スケールの罫線と図面の罫線とを合わせてしまうと、図面の罫線からずれて作図されてしまうという問題があった。また、そのずれが予め分かっていても、スケールは自動作図機本体に固定されているので、スケールの罫線を正しい方向に調整することができなかった。
【０００４】
この発明は、上記問題点に鑑みてなされたものであり、スケールに引かれた罫線の傾きと自動作図機のペンアームの移動方向とが一致しない場合に、スケールに引かれた罫線の傾きを正しい方向に調整することのできる自動作図機を提供することを目的とする。
【０００５】
【課題を解決するための手段】
上記課題を解決するために、請求項１の発明は、自動作図機本体の前に取り付けられるとともにＸ方向に延びた罫線が引かれたスケールを備えた自動作図機であって、
Ｘ方向に対する前記スケールの傾きを調整可能にしたことを特徴とする。
【０００６】
請求項２の発明は、前記スケールを、自動作図機本体に固定される固定スケールと、この固定スケールに重ねられるとともにＸ方向に罫線が引かれたグリッドスケールとによって構成し、
前記グリッドスケールをＸ方向に対する傾きが調整可能に前記固定スケールに取り付けたことを特徴とする。
【０００７】
請求項３の発明は、前記グリッドスケールをＸＹ方向へ移動可能に前記固定スケールに取り付けたことを特徴とする。
【０００８】
【発明の実施の形態】
以下、この発明に係る自動作図機の実施の形態を図面に基づいて説明する。
（実施の形態１）
図１ないし図２は自動作図機１０を示したものであり、１１は本体で、この本体１１の上面１１Ａには作図情報を入力する複数の操作キー１２が設けられた操作部１３と、入力した作図情報を表示する表示部１４とが設けられている。
【０００９】
本体１１の前端面１１Ｂの下側には作図範囲を示すためのスケール１５が取り付けられており、その上側の前端面１１Ｂには、左右方向に延びた開口１６が形成されている。この開口１６からペンアーム１７が前方に突出しており、ペンアーム１７の先端部１７ａにはペン装着部１８が形成されている。ペンアーム１７は本体１１内に備えた図示しないＸキャリッジおよびＹキャリッジによってＸ軸方向（左右方向）およびＹ軸方向（前後方向）に移動するようになっている。１８，１８は、本体１１の底面１１Ｃの四隅に設けられた脚部である。
【００１０】
スケール１５は、図３に示すように、本体１１に固定される固定スケール２１と、固定スケール２１の下面２１Ａに重ねられるグリッドスケール２２とによって構成されている。２３は固定スケール２１とグリッドスケール２２との左側の取付けに使用される偏心カム、２４は固定スケール２１とグリッドスケール２２との右側の取付けに使用される係止部材、２５，２６は、固定スケール２１を自動作図機１０の本体１１への取付けに使用されるネジである。
【００１１】
固定スケール２１は、図４に示すように、透明な矩形の板体であって、その中央部に長方形状の開口２１ａが形成されている。この固定スケール２１ａの本体側（図４において下側）の左右には、ネジ２５，２５を通すための一対のネジ穴２１ｂ，２１ｂが形成されている。また、前方（図４において上側）の左側には、丸型穴２１ｃが形成され、前方の右側には、左右方向に延びた長穴２１ｄが形成されている。
【００１２】
グリッドスケール２２は、図５に示すように、前記固定スケール２１と同型の矩形の板体であって、その中央部に前記固定スケール２１と同じ形状の開口２２ａが形成されている。また、グリッドスケール２２の上面２２ｂには、左右方向（Ｘ方向）に延びる罫線Ｋ１，Ｋ２，・・・と前後方向（Ｙ方向）に延びる罫線Ｋａ，Ｋｂ，・・・が引かれている。また、このグリッドスケール２２の前方の左側には係止ピン２２ｃが，右側には係止ピン２２ｄが固定スケール２１の丸型穴２１ｃ、長穴２１ｄの位置に対応する位置に上方に突出して設けられている。
【００１３】
偏心カム２３は、図６（ａ）〜（ｃ）に示すように、固定スケール２１の丸型穴２１ｃに嵌合させる円形の嵌合部２３ａと、この嵌合部２３ａの上方に設けられ嵌合部２３ａよりも大きい円形のダイヤル部２３ｂとを有している。嵌合部２３ａとダイヤル部２３ｂには、嵌合部２３ａとダイヤル部２３ｂの中心軸からずれた位置にグリッドスケール２２の係止ピン２２ｃと同じ大きさの円筒形状に嵌合部２３ａとダイヤル部２３ｂとを上下に貫通した穴部２３ｃが形成されている。また、この穴部２３ｃの上部側には段部２３ｄが形成され、ダイヤル部２３ｂの下面２３ｅにはＯリング２３ｆが植設されている。
【００１４】
係止部材２４は、図７（ａ）〜（ｃ）に示すように、固定スケールの長穴２１ｄに嵌合させる円形の嵌合部２４ａと、この嵌合部２４ａの上方に設けられ嵌合部２４ａよりも大きい円形の突出部２４ｂとを有している。嵌合部２４ａと突出部２４ｂには、グリッドスケール２２の係止ピン２２ｄと同じ大きさの円形の穴部２４ｄが嵌合部２４ａと突出部２４ｂと同心に嵌合部２４ａと突出部２４ｂとを上下に貫通して形成され、その上部側には、段部２４ｅが形成されている。また、ダイヤル部２４ｂの下面２４ｆには、Ｏリング２４ｇが植設されている。
【００１５】
固定スケール２１とグリッドスケール２２との偏心カム２３による取付けは、図８に示すように、グリッドスケール２２の係止ピン２２ｃを固定スケール２１の丸型穴２１ｃに下方から貫通させ、固定スケール２１の上方から偏心カム２３の穴部２３ｃにグリッドスケール２２の係止ピン２２ｃを貫通させるとともに固定スケール２１の丸型穴２１ｃに偏心カム２３の嵌合部２３ａを嵌合させることにより行う。固定スケール２１とグリッドスケール２２との係止部材２４による取付けも偏心カム２３の場合と同様にして行う。ここで、グリッドスケール２２の係止ピン２２ｃ，２２ｄは偏心カム２３及び係止部材２４の穴部２３ｃ，２４ｄの上に形成された段部２３ｄ，２４ｅに係止して固定されている。また、偏心カム２３及び係止部材２４のダイヤル部２３ｂ，２４ｂの下側に設けられたＯリング２３ｆ，２４ｇが固定スケール２１の上面に接触していることにより、Ｏリング２３ｆ，２４ｇと固定スケール２１の上面２１ｅとの間に生じる摩擦力によって、自動作図機本体１１の作動中等に偏心カム２３が勝手に回転してしまうことを防止している。
【００１６】
次に、上記実施の形態の自動作図機１０の作用について説明する。
【００１７】
まず、本体１１のペンアーム１７のペンの移動する方向と、グリッドスケール２２の罫線の方向とが一致しているかどうかを確認し、その結果、罫線の方向がペンの移動する方向に合っていない場合には、偏心カム２３のダイヤル部２３ｂを回転させることによりグリッドスケール２２を移動させ、罫線の傾きを調整する。
【００１８】
すなわち、図９に概略を示すように、グリッドスケール２２の係止ピン２２ｃの初期位置をＡの位置とする偏心カム２３のダイヤル部２３ｂを回転させることにより、グリッドスケール２２の係止ピン２２ｃをＡからＢの位置に移動させると、これに伴ってＥの位置を初期位置とする係止ピン２２ｄはＦの位置に移動する。さらに、係止ピン２２ｃをＣの位置に移動させると、係止ピン２２ｄはＧの位置に移動し、係止ピン２２ｃをＤの位置に移動させると、係止ピン２２ｄはＦの位置に移動し、係止ピンをＡの位置に移動させると、係止ピンはＥの位置に移動される。
【００１９】
この場合に、図９から明らかなように、係止ピン２２ｃをＢ及またはＤの位置に移動させたとき、グリッドスケール２２は固定スケール２１に対して最大の傾き角度θを得ることができる（θ：ｓｉｎθ＝ｒ／Ｌ（ｒ：係止ピンが移動する円周の半径、Ｌ：係止ピンと係止ピンとの間の距離））。このため、グリッドスケール２２の罫線の傾きを−θ〜θの範囲に調整することが可能である。
【００２０】
次に、作図用の用紙を本体１１の前に載置してグリッドスケール２２及び本体１１の底面１１Ｃの前部を用紙の上に重ね、本体１１に入力された作図情報に基づいてペンアーム１７をＸＹ方向に移動させることにより、用紙上の正しい方向に作図させる。
【００２１】
このように、グリッドスケール２２を固定スケール２１に対して自由に移動させることができるので、固定スケール２１を自動作図機本体１１に取り付ける際に固定スケールに生じて、ペンアーム１７の移動方向と罫線の方向にズレが生じた場合であっても、グリッドスケール２２に引かれた罫線の傾きを調整することができる。
【００２２】
図１０には、この実施の形態の自動作図機に使用されるグリッドスケールと偏心カムの他の例を示している。
【００２３】
このグリッドスケール３１は、前記のグリッドスケール２２の係止ピン２２ｃ，２２ｄが突出している位置にネジ穴３２，３２を有している。偏心カム３４には、前記偏心カム２３の穴部２３ｃのある位置に皿ネジ３３を貫通するパイプ３４ａが設けられており、ネジ穴３２の下方から皿ネジ３３を差し込み。パイプ３４ａに貫通させ、偏心カム３３のダイヤル部３４ｂの上方からナット３５を皿ネジ３３に締結することにより偏心カム３４に固定スケール２１とグリッドスケール３１とを固定する。グリッドスケール３１の右側を固定スケール２１に取り付けるための係止部材は、上記の偏心カムと略構成を同じとするので、説明は省略する。
【００２４】
（実施の形態２）
図１１は、実施の形態２の自動作図機４０に使用される固定スケール４１とグリッドスケール４２と偏心カム４３，４３とを示したものである。
【００２５】
固定スケール４１は、前方左右両方に長穴４１ａ，４１ａを設けた他は前述の固定スケール２１と同じ構成であるので詳細な説明は省略する。また、グリッドスケール４２及び偏心カム４３も前述のグリッドスケール２２及び偏心カム２３と同じものを用いているので、これらについても詳細な説明は省略する。
【００２６】
この実施の形態２の自動作図機４０において、グリッドスケール４２を固定スケール４１に対して移動させる場合、左右両側の偏心カム４３，４３が長穴４１ａ，４１ａ上を左右に移動可能になっているので、グリッドスケール４２に引かれた罫線の位置及び傾きをさらに調整し易く、さらに、グリッドスケールの罫線の位置をＸ方向、Ｙ方向の所望の位置に調整することができ、罫線の位置を作図の原点位置に合わせることができる。
【００２７】
【発明の効果】
以上説明したように、請求項１の発明によれば、自動作図機本体の前に取り付けられるとともにＸ方向に延びた罫線が引かれたスケールを備えた自動作図機であって、Ｘ方向に対する前記スケールの傾きを調整可能にしたので、スケールの罫線の方向と自動作図機のペンの移動方向とが一致しない場合に、スケールの罫線のＸ方向を正しい方向に調整することができる。
【００２８】
請求項２の発明によれば、前記スケールを、自動作図機本体に固定される固定スケールと、この固定スケールに重ねられるとともにＸ方向に罫線が引かれたグリッドスケールとによって構成し、前記グリッドスケールをＸ方向に対する傾きが調整可能に前記固定スケールに取り付けたので、スケールに引かれた罫線の位置及び傾きをさらに調整しやすいものである。
【００２９】
請求項３の発明によれば、前記グリッドスケールをＸＹ方向へ移動可能に前記固定スケールに取り付けたので、Ｘ方向に加えてＹ方向へのスケールの罫線の調整が可能である。
【図面の簡単な説明】
【図１】この発明に係る自動作図機１０を示した平面図である。
【図２】図１に示す自動作図機１０の正面図である。
【図３】自動作図機１０のスケールを示す構成図である。
【図４】固定スケール２１を示す上面図である。
【図５】グリッドスケール２２を示す上面図である。
【図６】偏心カム２３を示し、（ａ）は側面図、（ｂ）は上面図、（ｃ）は（ｂ）のＡ−Ａ線に沿う断面図である。
【図７】係止部材２４を示し、（ａ）は側面図、（ｂ）は上面図、（ｃ）は（ｂ）のＡ−Ａ線に沿う断面図である。
【図８】偏心カム２３によってグリッドスケール２２を固定スケール２１に取り付けた状態を示す断面図である。
【図９】偏心カム２３の移動によるグリッドスケールの傾きの変化を示す概略図である。
【図１０】偏心カム３４によってグリッドスケール３１を固定スケール２１に取り付けた状態を示す断面図である。
【図１１】自動作図機４０のスケールを示す構成図である。
【符号の説明】
１５      スケール
２１      固定スケール
２２      グリッドスケール
２３      偏心カム
２４      係止部材
【図１】
0003630018.tif 000002
【図２】
0003630018.tif 000003
【図３】
0003630018.tif 000004
【図４】
0003630018.tif 000005
【図５】
0003630018.tif 000006
【図６】
0003630018.tif 000007
【図７】
0003630018.tif 000008
【図８】
0003630018.tif 000009
【図９】
0003630018.tif 000010
【図１０】
0003630018.tif 000011
【図１１】
0003630018.tif 000012